【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
粘着剤を有する光学フィルムと、当該粘着剤を介して当該光学フィルムが積層されている帯状のキャリアフィルムとを有する積層光学フィルムを下流へ送り出す一対の第１ニップロールと、前記第１ニップロールの下流側に配置されるダンサーロールを有するアキューム部と、前記キャリアフィルムを内側にして折り返して当該キャリアフィルムから前記光学フィルムを剥離する剥離部と、前記剥離部により前記光学フィルムが剥離された前記キャリアフィルムを下流へ送り出す一対の第２ニップロールと、前記２ニップロールの下流側に配置されるロールに前記キャリアフィルムを巻き取る巻取部と、
光学セルを搬送する光学セル搬送部と、
前記光学セルを搬送しながら前記剥離部で剥離された前記光学フィルムを前記粘着剤を介して当該光学セルに貼り合せて光学表示パネルを形成する貼合部と、を備える光学表示パネルの連続製造システムであって、
前記光学フィルムを前記光学セルへ貼り合せている間に、前記ダンサーロールの慣性力を制御することで、前記積層光学フィルムに生じる歪みを緩和させる歪み解消部を備える光学表示パネルの連続製造システム。
【請求項２】
前記歪み解消部は、前記光学フィルムを前記光学セルへ貼り合せている間に、前記キャリアフィルムの１００ｍｍ幅当たりにかかる、前記ダンサーロールの慣性力による力が１．８Ｎ以下となるように制御する慣性力制御部を備える請求項１に記載の光学表示パネルの連続製造システム。
【請求項３】
前記慣性力制御部は、ダンサーロール可動時の加速度を調べることで、ダンサーロールの動きを抑制する、請求項２に記載の光学表示パネルの連続製造システム。
【請求項４】
前記ダンサーロールが、前記積層光学フィルムにかかる張力を維持するように自動で可動する構成であり、
前記歪み解消部は、前記光学フィルムを前記光学セルへ貼り合せている間に、前記ダンサーロールを定位置から動かさないように制御するダンサーロール定位置制御部を備え、
前記ダンサーロール定位置制御部は、前記積層光学フィルムを送り出す前記第１ニップロールと前記貼合部とが同期かつ同速で可動するように前記ダンサーロールを制御する請求項１〜３のいずれか１項に記載の光学表示パネルの連続製造システム。
【請求項５】
前記ダンサーロール定位置制御部は、前記第１ニップロール、前記貼合部、および前記第２ニップロールを同期させて可動することで前記ダンサーロールを制御する、請求項４に記載の光学表示パネルの連続製造システム。
【請求項６】
前記ダンサーロール定位置制御部は、前記第１ニップロール、前記貼合部、および前記第２ニップロールを同速で可動することで前記ダンサーロールを制御する、請求項４または５に記載の光学表示パネルの連続製造システム。
【請求項７】
前記ダンサーロールが張力調整用錘方式のアキューム部である請求項４〜６のいずれか１項に記載の光学表示パネルの連続製造システム。
【請求項８】
前記ダンサーロールが前記積層光学フィルムにかかる張力を維持するように制御されることで可動するように構成され、
前記歪み解消部は、前記光学フィルムを前記光学セルへ貼り合せている間に、予め検出しておいた前記積層光学フィルムに生じる歪みの結果に応じて前記ダンサーロールを移動させるように制御する請求項１または２に記載の光学表示パネルの連続製造システム。
【請求項９】
前記光学フィルムの厚みが２００μｍ以下である請求項１〜８のいずれか１項に記載の光学表示パネルの連続製造システム。
【請求項１０】
前記光学フィルムが偏光フィルムを含む請求項１〜９のいずれか１項に記載の光学表示パネルの連続製造システム。
【請求項１１】
粘着剤を有する光学フィルムと、当該粘着剤を介して当該光学フィルムと積層されている帯状のキャリアフィルムとを有する積層光学フィルムを一対の第１ニップロールで下流へ送り出す第１送出工程と、前記第１ニップロールの下流側に配置されるダンサーロールによるアキューム工程と、前記キャリアフィルムを内側にして折り返して当該キャリアフィルムから前記光学フィルムを剥離する剥離工程と、前記剥離工程により前記光学フィルムが剥離された前記キャリアフィルムを一対の第２ニップロールで下流へ送り出す第２送出工程と、前記２ニップロールの下流側に配置されるロールに前記キャリアフィルムを巻き取る巻取工程と、
光学セルを搬送する光学セル搬送工程と、
前記光学セルを搬送しながら前記剥離工程で剥離された前記光学フィルムを前記粘着剤を介して当該光学セルに貼り合せて光学表示パネルを形成する貼合工程と、を含む光学表示パネルの連続製造方法であって、
前記光学フィルムを前記光学セルへ貼り合せている間に、前記ダンサーロールの慣性力を制御することで、前記積層光学フィルムに生じる歪みを緩和させる歪み解消工程を含む光学表示パネルの連続製造方法。
【請求項１２】
前記歪み解消工程は、前記光学フィルムを前記光学セルへ貼り合せている間に、前記キャリアフィルムの１００ｍｍ幅当たりにかかる、前記ダンサーロールの慣性力による力が１．８Ｎ以下となるように制御する慣性力制御工程を含む請求項１１に記載の光学表示パネルの連続製造方法。
【請求項１３】
前記慣性力制御工程は、ダンサーロール可動時の加速度を調べることで、ダンサーロールの動きを抑制する、請求項１２に記載の光学表示パネルの連続製造方法。
【請求項１４】
前記ダンサーロールが、前記積層光学フィルムにかかる張力を維持するように自動で可動する構成であり、
前記歪み解消工程は、前記光学フィルムを前記光学セルへ貼り合せている間に、前記ダンサーロールを定位置から動かさないように制御するダンサーロール定位置制御工程を含み、
前記ダンサーロール定位置制御工程は、前記第１ニップロールによる前記積層光学フィルムの送り出し動作と前記貼合工程による光学フィルムの光学セルへの貼合動作とを同期かつ同速とすることで前記ダンサーロールを制御する請求項１１〜１３のいずれか１項に記載の光学表示パネルの連続製造方法。
【請求項１５】
前記ダンサーロール定位置制御工程は、前記第１ニップロールによる前記積層光学フィルムの送り出し動作、前記貼合工程による光学フィルムの光学セルへの貼合動作および前記第２ニップロールによる前記キャリアフィルムの送り出し動作が同期することで前記ダンサーロールを制御する、請求項１４に記載の光学表示パネルの連続製造方法。
【請求項１６】
前記ダンサーロール定位置制御工程は、前記第１ニップロールによる前記積層光学フィルムの送り出し動作、前記貼合工程による光学フィルムの光学セルへの貼合動作および前記第２ニップロールによる前記キャリアフィルムの送り出し動作を同速とすることで前記ダンサーロールを制御する、請求項１４または１５に記載の光学表示パネルの連続製造方法。
【請求項１７】
前記ダンサーロールが張力調整用錘方式のアキューム部である請求項１４〜１６のいずれか１項に記載の光学表示パネルの連続製造方法。
【請求項１８】
前記ダンサーロールが前記積層光学フィルムにかかる張力を維持するように制御されることで可動するように構成され、
前記歪み解消工程は、前記光学フィルムを前記光学セルへ貼り合せている間に、予め検出しておいた前記積層光学フィルムに生じる歪みの結果に応じて前記ダンサーロールを移動させるように制御する請求項１１または１２に記載の光学表示パネルの連続製造方法。
【請求項１９】
前記光学フィルムの厚みが２００μｍ以下である請求項１１〜１８のいずれか１項に記載の光学表示パネルの連続製造方法。
【請求項２０】
前記光学フィルムが偏光フィルムを含む請求項１１〜１９のいずれか１項に記載の光学表示パネルの連続製造方法。
【手続補正２】
【補正対象書類名】明細書
【補正対象項目名】００１０
【補正方法】変更
【補正の内容】
【００１０】
本発明は、粘着剤を有する光学フィルムと、当該粘着剤を介して当該光学フィルムが積層されている帯状のキャリアフィルムとを有する積層光学フィルムを下流へ送り出す一対の第１ニップロールと、前記第１ニップロールの下流側に配置されるダンサーロールを有するアキューム部と、前記キャリアフィルムを内側にして折り返して当該キャリアフィルムから前記光学フィルムを剥離する剥離部と、前記剥離部により前記光学フィルムが剥離された前記キャリアフィルムを下流へ送り出す一対の第２ニップロールと、前記２ニップロールの下流側に配置されるロールに前記キャリアフィルムを巻き取る巻取部と、光学セルを搬送する光学セル搬送部と、前記光学セルを搬送しながら前記剥離部で剥離された前記光学フィルムを前記粘着剤を介して当該光学セルに貼り合せて光学表示パネルを形成する貼合部と、を備える光学表示パネルの連続製造システムであって、
前記光学フィルムを前記光学セルへ貼り合せている間に、前記ダンサーロールの慣性力を制御することで、前記積層光学フィルムに生じる歪みを緩和させる歪み解消部を備える光学表示パネルの連続製造システムである。
【手続補正３】
【補正対象書類名】明細書
【補正対象項目名】００２８
【補正方法】変更
【補正の内容】
【００２８】
また、他の本発明は、粘着剤を有する光学フィルムと、当該粘着剤を介して当該光学フィルムと積層されている帯状のキャリアフィルムとを有する積層光学フィルムを一対の第１ニップロールで下流へ送り出す第１送出工程と、前記第１ニップロールの下流側に配置されるダンサーロールによるアキューム工程と、前記キャリアフィルムを内側にして折り返して当該キャリアフィルムから前記光学フィルムを剥離する剥離工程と、前記剥離工程により前記光学フィルムが剥離された前記キャリアフィルムを一対の第２ニップロールで下流へ送り出す第２送出工程と、前記２ニップロールの下流側に配置されるロールに前記キャリアフィルムを巻き取る巻取工程と、光学セルを搬送する光学セル搬送工程と、前記光学セルを搬送しながら前記剥離工程で剥離された前記光学フィルムを前記粘着剤を介して当該光学セルに貼り合せて光学表示パネルを形成する貼合工程と、を含む光学表示パネルの連続製造方法であって、
前記光学フィルムを前記光学セルへ貼り合せている間に、前記ダンサーロールの慣性力を制御することで、前記積層光学フィルムに生じる歪みを緩和させる歪み解消工程を含む。